(57)【要約】【課題】  耳垢をかなりの量まで吸引しても吸引力が落ちずに吸引でき、しかも特別にフィルタを設けなくても耳垢をかなりの量まで回収できるようにした耳の掃除具を提供すること。また耳垢を効率良く掻き落して吸引できる耳掻きを提供すること。【解決手段】  ベルヌーイの定理の原理を応用し、耳垢を細い搬送管で吸引し、その吸引した空気を大きな断面積の容器内へと流すことで、その空気と一緒に流れる耳垢の自重に作用する重力によって、耳垢を下方に落下させ、容器内に耳垢を逐次堆積させてその溜まった耳垢を収容容器内から回収する構成。また空気を吸入する器具や装置に接続し、中空の棒状に形成した耳掻きの先端部の側面に１つ乃至複数の吸引口と複数の凸状の引掻き部を形成した構成。【選択図】  図１
2009022335.tif 000002
【特許請求の範囲】
【請求項１】
ポンプ（１）の収縮によって該ポンプ（１）内に空気を吸入してその空気を外に排出するポンプ（１）であって、該ポンプ（１）のひとつの開口部に空気を吸入時に開き排出時に閉じる吸入弁ともうひとつの開口部に空気を吸入時に閉じ排出時に開く排出弁を設け、該ポンプ（１）が吸入する空気を搬送する適当長の搬送管（２：２ａ）の一方を該ポンプ（１）に接続して、もう一方を適当に大きい断面積の空間を有する収容容器（３）に接続し、該ポンプ（１）が吸入する空気を搬送する適当長の搬送管（２：２ｂ）の一方を中空の棒状に形成した耳掻き（４）に接続して、もう一方を前記の収容容器（３）に接続し、且つ該収容容器（３）に接続する該搬送管（２：２ｂ）の排出口を前記搬送管（２：２ａ）の吸入口よりも重力方向に対して下側に設け、前記耳掻き（４）に形成した引掻き部（４ａ）によって耳内を掻くことで掻き落した耳垢を、前記ポンプ（１）から吸入する空気によって該耳掻き（４）に形成した吸引口（４ｂ）から吸引する空気と一緒に搬送管（２：２ｂ）で搬送して前記収容容器（３）内に排出し、その排出する耳垢を該収容容器（３）内に堆積させて回収するようにした耳の掃除具。
【請求項２】
ポンプ（１）の収縮によって該ポンプ（１）内に空気を吸入してその空気を外に排出するポンプ（１）であって、該ポンプ（１）のひとつの開口部に空気を吸入時に開き排出時に閉じる吸入弁ともうひとつの開口部に空気を吸入時に閉じ排出時に開く排出弁を設け、該ポンプ（１）に係止して適当に大きい断面積の空間を有する収容部（１ｄ）を着脱可能に設け、該ポンプ（１）が吸入する空気を搬送する適当長の搬送管（２ａ）の一方を該収容部（１ｄ）に接続して、もう一方を中空の棒状に形成した耳掻き（４）に接続し、該耳掻き（４）に形成した引掻き部（４ａ）によって耳内を掻くことで掻き落した耳垢を、前記ポンプ（１）から吸入する空気によって該耳掻き（４）に形成した吸引口（４ｂ）から吸引する空気と一緒に搬送管（２ａ）で搬送して前記収容部（１ｄ）内に排出し、その排出する耳垢を該収容部（１ｄ）内に堆積させて回収するようにした耳の掃除具。
【請求項３】
前記の耳掻き（４）において、該耳掻き（４）に形成する引掻き部（４ａ）と吸引口（４ｂ）が、該耳掻き（４）の先端部の側面に形成する１つ乃至複数の吸引口（４ｂ）と複数の凸状の引掻き部（４ａ）でなる請求項１又は２記載の耳の掃除具。
【請求項４】
手圧式又は電動式のポンプ等の空気を吸入する器具や装置に接続して耳の中の耳垢を吸引する耳掻きにおいて、該耳掻き（４）を中空の棒状に形成し、該耳掻き（４）の先端部の側面に１つ乃至複数の吸引口（４ｂ）と複数の凸状の引掻き部（４ａ）を形成し、該引掻き部（４ａ）によって耳の中に付着した耳垢を掻き落し、前記の器具や装置から吸入する空気によって前記吸引口（４ｂ）からその耳垢を空気と一緒に吸引するようにした耳掻きの耳の掃除具。
【請求項５】
ポンプ（１）の収縮によって該ポンプ（１）内に空気を吸入してその空気を外に排出するポンプ（１）であって、該ポンプ（１）のひとつの開口部に空気を吸入時に開き排出時に閉じる吸入弁ともうひとつの開口部に空気を吸入時に閉じ排出時に開く排出弁を設け、該ポンプ（１）に接続して耳の中の耳垢を吸引する耳掻きであって、該耳掻き（４）を中空の棒状に形成し、該耳掻き（４）の先端部の側面に１つ乃至複数の吸引口（４ｂ）と複数の凸状の引掻き部（４ａ）を形成し、該引掻き部（４ａ）によって耳の中に付着した耳垢を掻き落し、前記ポンプ（１）から吸入する空気によって前記吸引口（４ｂ）からその耳垢を吸引する空気と一緒に前記ポンプ（１）で吸入し、その吸入する耳垢を該ポンプ（１）内に、又は該ポンプ（１）に係止して連通する収容部（１ｄ）内に堆積させて回収するようにした耳の掃除具。
【発明の詳細な説明】
【技術分野】
【０００１】
本発明は、吸引する空気によって耳内に溜まった耳垢を吸引して掃除する耳の掃除具に関する。
【背景技術】
【０００２】
従来、手でポンプを収縮させ、その収縮したポンプが元の形に戻る際に吸入する空気によって、耳内に溜まった耳垢を吸引するようにした掃除具が幾つか提案されている。
【０００３】
例えば、実用新案出願公告１７５８５号公報や特許第３６０１６６７号公報や実用新案公開平５−９１４９２号公報等があり、その耳垢を吸引して搬送する搬送管の構成は、それぞれ図８（ａ）（ｂ）（ｃ）の構成をしており、耳垢を搬送する搬送管の途中にフィルタ（綿やガーゼ）を設けてあり、そのフィルタによって搬送される耳垢を回収する構成である。然しながらこの提案の各構成（特に図（ａ））では、フィルタの面に耳垢が溜まってくると、目詰まりを起こして吸引力が落ちてくる欠点があった。そして図８（ｂ）（ｃ）の構成では、フィルタの下側の部分から徐々に耳垢が溜まって目詰まりを起こしていくと、その吸引できる部分は徐々に上側のみに移動していき、最後にはフィルタの全面が目詰まりを起こして吸引しなくなってしまう。また各構成も搬送する管は回転できる構成であるから、実際にはフィルタの全面に均一に耳垢が溜まっていき、最後にはフィルタの全面が目詰まりを起こして吸引しなくなってしまう。
【０００４】
またどの程度耳垢が溜まってるかを開閉しなければ確認できないという欠点もあった。
【特許文献１】実用新案出願公告１７５８５号公報実用新案公開平５−９１４９２号公報特許第３６０１６６７号公報
【発明の開示】
【発明が解決しようとする課題】
【０００５】
本発明は、前述の問題に鑑みてなされたもので、耳垢をかなりの量まで吸引しても吸引力が落ちずに吸引でき、しかも特別にフィルタを設けなくても耳垢をかなりの量まで回収できるようにした耳の掃除具を提供することである。また耳垢を効率良く掻き落して吸引できる耳掻きを提供することである。
【課題を解決するための手段】
【０００６】
本発明は、前述の課題を解決するために、ベルヌーイの定理の原理を応用するものである。その原理を図８に基づいて説明すれば、
小さい断面積の搬送管を流れる空気の速度をＶａ、その断面積をＳａ、小さい断面積の搬送管から大きな断面積の容器内へ流れた空気の速度をＶｂ、その容器の断面積をＳｂとすると、Ｖａ・Ｓａ＝Ｖｂ・Ｓｂが成立ち、
（運動エネルギー）+（圧力エネルギー）＝一定
となる。そこで本発明は、このベルヌーイの定理の原理を応用するもので、小さい断面積Ｓａの搬送管を流れる空気は、速度が速い大きな運動エネルギーを持っているが、その空気が大きな断面積Ｓｂの容器内へと流れると、その空気の速度は小さくなってその運動エネルギーも小さくなり、その小さくなった運動エネルギー分に相当する圧力エネルギーが逆に大きくなる。そのためこの流れる空気と一緒に耳垢を搬送させると、小さい断面積の搬送管内では耳垢は大きな運動エネルギーを持って滑らかに流れるが、この搬送する空気の流れが大きな断面積の容器内に入ると、この空気と一緒に流れる耳垢は小さな運動エネルギーになってしまい、その分大きな圧力エネルギーを受けることになる。例えば前記の大きな容器の断面積Ｓｂが、小さい搬送管の断面積Ｓａの１０倍であれば、前記の式によって、大きな容器内に入った空気の速度Ｖｂは１/１０に遅くなる。そしてその時一緒に流れる耳垢の運動エネルギーをＥとし、その重量をｍとすると、その耳垢の運動エネルギーＥは、Ｅ＝（１・ｍ・Ｖｂの２乗）/２となり、速度Ｖｂが１/１０になると、その運動エネルギーＥは、（１/１０）の２乗＝１/１００となるため非常に小さくなり、その運動エネルギー分に相当する圧力エネルギーが約１００倍耳垢に及ぼすことになる。そのためその状態になると、耳垢には空気の流れによる運動エネルギーよりも、耳垢自体の自重による重力（位置エネルギー）の方が大きくなるため、耳垢は重力によって下方に落下していく。
【０００７】
本発明は、このベルヌーイの定理の原理を応用するもので、耳垢を細い搬送管で吸引し、その吸引した空気を大きな断面積の容器内へと流すことで、その空気と一緒に流れる耳垢の自重に作用する重力によって、耳垢を下方に落下させ、容器内に耳垢を逐次堆積させてその溜まった耳垢を収容容器内から回収する構成である。また耳内の耳垢を効率良く掻き落して吸引するため、空気を吸入する器具や装置に接続し、中空の棒状に形成した耳掻きの先端部の側面に１つ乃至複数の吸引口と複数の凸状の引掻き部を形成した構成である。
【発明の効果】
【０００８】
本発明は、前述したような構成であるため、耳垢をかなりの量に達するまで吸引しても吸引力が落ちずに吸引でき、しかも特別にフィルタを設けなくても耳垢をかなりの量まで回収できる。また耳垢を回収する収容容器を透明に形成することで、どの程度耳垢が回収できたかを確認しながら耳の掃除ができる。
【０００９】
また本発明の中空の棒状に形成した耳掻きの先端部の側面に、１つ乃至複数の吸引口と複数の凸状の引掻き部を形成した耳掻きであれば、一度の耳掻きの摺動や回転する動作によって、耳内の広範囲の部分の皮膚面を複数の引掻き部で掻いて付着した耳垢を掻き落すことができ、同時にその掻き落した耳垢を吸引口から吸い取ることができ、効率良い耳掻きができる。
【実施例】
【００１０】
本発明の実施例の各構成を図面を基に詳述する。
図１は、本発明のひとつの実施例を示したもので、図（ａ）はその側面図を示し、図（ｂ）はその縦断面図を示す。尚、図中の搬送管２ａ及び搬送管２ｂは図面上実際の長さよりも短く図示している。
【００１１】
ポンプ１は石油ポンプ等で使う中空の円筒状のもので、側面に蛇腹状の凹凸を形成している。手でそのポンプ１の側面を押圧するとその側面が内側に撓み、手の力を抜くとそのポンプ１の弾力で元の形状に戻ろうとする。このポンプ１の弾力作用によって空気を吸入したり排出したりでき、その詳細の構成を図３で説明すると、図（ａ）において、ポンプ１の側面を矢印の方向に手で押圧すると、ポンプ１の側面は内側に撓み、その圧力を受けてその中の空気がポンプ１の側面に設けた弾性のある排気弁１ｂを押し曲げて、その開口部１ｆにできる隙間からポンプ１の外へと空気が排出する。
【００１２】
次に手で側面を押圧した力を抜き去ると、ポンプ１の弾力によって元の形状に戻ろうとし、排出した量の空気を吸い込もうとする。そして前記の排気弁１ｂはその弾力で元の形状に戻って開口部１ｆを塞ぎ、吸い込む空気でポンプ１の底面に設けた弾性のある吸気弁１ａを押し曲げ、その開口部１ｃにできる隙間からポンプ１の中へと空気が吸入する。この手でポンプ１の側面を押圧する動作を断続的に繰り返すことで、前述した一連の動作でポンプ１の中から外へと空気を継続して排出して吸入できる。ポンプ１の底部にはポンプ１で吸入する空気を搬送する搬送管２ａが接続されており、その搬送管２ａの後端を適当に大きい断面積の空間と容積を有する収容容器３の蓋部３ａ内に接続している。これによりポンプ１が元の形状に戻る時、そのポンプ１の吸引力で収容容器３内にある空気は、搬送管２ａ内を搬送してポンプ１内へと吸い込まれていく。次に収容容器３の収容部３ｂには、その収容部３ｂ内へと空気を排出する搬送管２ｂが接続してあり、その搬送管２ｂの後端を中空の棒状に形成した耳掻き４の後部に連通させて接続している。この構成で収容容器３内に接続した搬送管２ａの吸入口は、搬送管２ｂの排出口よりも重力方向に対して上方に設けて構成している。これにより搬送管２ｂの排出口から排出した耳垢が重力で落下する時、搬送管２ａの吸入口から吸入されることがない。耳掻き４の先端には、耳内を掻く耳掻き部４ａが孫の手の先の形状に形成してあり、その側近には空気を吸い込む吸引口４ｂを形成している。
【００１３】
図２は、図１に示した構成で実際に実施する状態を示したものである。ポンプ１を押圧して中の空気を排出させ、その後ポンプ１が元の形状に戻る間に空気を吸引する状態を示したものである。図６に示すように、中空の棒状にした耳掻き４の先端に孫の手の形状に耳掻き部４ａを形成しており、図（ｃ）に示すように、耳掻き４の先端を耳の中へと挿入し、その先端の耳掻き部４ａを耳の内面に当てて掻くことで、その皮膚面に付着してる耳垢を浮遊状態に掻き落すことができる。そしてある程度耳垢を掻き離した状態で、ポンプ１を手で押圧すると、まずポンプ１内の空気が排出され、次に押圧する力を抜き去ることで、ポンプ１の持つ弾力で元の形状に戻ろうとし、前記の排出された空気量に相当する新たな空気が吸入される。その吸入される空気は、耳掻き４の先端の吸引口４ｂ→搬送管２ｂ→収容容器３内→搬送管２ａ→ポンプ１内の流れで搬送され、その空気の流れによって耳掻き４の先端の吸引口４ｂ付近で浮遊してた耳垢は、その空気と一緒に吸入搬送され、搬送管２ｂ内を通って収容容器３内へと排出される。ここで前述のベルヌーイの定理の原理によって、空気と一緒に流れた耳垢は、搬送管２ｂの断面積よりも収容容器３の断面積の方が非常に大きく数１０倍はあるため、その空気と耳垢が搬送管２ｂ内を搬送中に持ってた運動エネルギーは、収容容器３内に排出されると１/（数１０の２乗）と遥かに減少してしまう。そのため耳垢は自重によって上昇することなく、重力で下方に落下して収容容器３の底面に次から次へと堆積していく。そして収容容器３の上方にある空気のみが上方に設けた搬送管２ａの吸入口から吸引されポンプ１内へと吸入されていく。
【００１４】
ここで収容容器３の容積がポンプ１が吸引する空気の体積よりも大きくした場合は、吸引された空気は収容容器３内でその速度が完全にゼロになるため、耳垢の運動エネルギーも完全にゼロになり、耳垢は確実に収容容器３の底面に落下していき順次堆積していく。図２（ｂ）に示すように、収容容器３には蓋部３ａと収容部３ｂとが互いに嵌合するように係止部３ｃを設けており、収容部３ｂ内に堆積した耳垢は、その収容部３ｂを蓋部３ａとの嵌合状態から外し、中に堆積した耳垢を捨てることで収容部３ｂ内を空の状態にできる。ここで収容容器３を透明に形成すれば、中に溜まった耳垢の堆積状態を常時目視確認でき、また収容部３ｂ内に予めティッシュペーパー等を敷いておけば、そのティッシュペーパーを溜まった耳垢ごと捨てることが可能である。収容容器３はテーブル等の上に置いて実施できる。
【００１５】
図４は、収容容器３の他の実施例の構成を示したものである。図４（ａ）は蓋部３ａと収容部３ｂとが嵌合する収容容器３において、蓋部３ａの上面から搬送管２ａと搬送管２ｂを挿入して接続したものである。この構成であれば、収容部３ｂを完全に独立して離して溜まった耳垢を捨てることができる。図４（ｂ）は収容容器３から収容部３ｂをスライド式に抜き差しできる構成にしたものである。この構成であれば、例えば収容部３ｂを紙質の素材で形成し、そのまま耳垢が溜まった収容部３ｂごと捨てることもできる。図４（ｃ）は蓋部３ａをコルク状の栓で構成したもので、収容部３ｂとの抜き差しが容易にできる。尚、蓋部３ａと収容部３ｂとの係止の仕方は、嵌合や螺合やその他の方法でもよい。
【００１６】
図５は、本発明の他の実施例の構成を示したもので、ポンプ１に着脱できる収容部１ｄを設けて構成したものである。図（ｂ）はその縦断面図を示し、図（ｃ）はＸ−Ｙ方向から見た上面図を示す。収容部１ｄとポンプ１の下端が互いに螺合する係止部１ｅによって、収容部１ｄをポンプ１から着脱可能に設けており、収容部１ｄ内には適当な大きさの断面積の空間を設けている。この構成によって耳掻き４の先端の吸引口４ｂから吸引した耳垢は、搬送管２ａを通って収容部１ｄ内に排出され、この収容部１ｄ内に形成した空間の断面積は、搬送管２ａの断面積よりも遥かに大きいため、収容部１ｄ内に排出された耳垢は、その自重で加わる重力に下方に落下して堆積していく。本実施例の構成では、収容部１ｄ内に挿入した搬送管２ａの排出口を側方に向けており、上方に耳垢が舞い難くしてある。収容部１ｄ内に堆積した耳垢は、螺合して接続したポンプ１をねじ廻すことで、ポンプ１から収容部１ｄを外して溜まった耳垢を捨てることができる。この実施例の構成であれば、耳垢を収容する前記の収容部３ｂと比べて、ポンプ１に係合した収容部１ｄは耳の掃除中に邪魔にならない。また収容部１ｄを透明に形成すれば、中の耳垢の堆積状態が常時目視で確認できる。
【００１７】
図３（ｃ）は、ポンプ１の他の実施例の構成を示したもので、ラグビーのボール状にポンプ１を形成し、その上端の開口部に排気弁１ｂを設け、その下端の開口部に吸気弁１ａを設け、その吸気弁１ａに空気を搬送する搬送管２ａを接続して構成したものである。この構成でも同様に実施可能である。尚、各実施例のポンプ１の弾力度（撓み難さ）が大きいほど、耳垢を吸引する吸引力が増し、ポンプ１の容積が大きいほど耳垢を吸引する吸引量は増すことになる。
【００１８】
図７は、本発明の耳の掃除具の耳掻き４の他の実施例の構成を示したものである。図（ａ）（ｂ）において、中空に形成した耳掻き４の先端部の側面に１列に３つの吸引口４ｂを形成し、その耳掻き４の同じ側面に凸状の耳掻き部４ａ、４ａ・・・４ａを複数形成して構成したものである。この構成で耳掻き４の先端部を耳の穴に挿入し、耳の穴の皮膚面に耳掻き４の先端部分を当てて摺動させたり、回転させたりすると、凸状の複数の耳掻き部４ａ、４ａ・・・４ａによって、皮膚面に付着してる耳垢を浮遊状態に掻き落とすことができる。その状態でポンプ１から空気を吸入することで、吸引口４ｂ付近に浮遊する耳垢を吸引することができる。尚、この構成で形成する吸引口４ｂは１つでもよいし、複数（２つ以上）形成して構成してもよい。この構成であれば、この耳掻き４の耳内で１度の摺動や回転させる動きによって、その皮膚面の広範囲に付着する耳垢を複数の凸状の耳掻き部４ａ、４ａ・・・４ａで何回でも掻くことになり、そのため効率良く耳掻きができる。尚、耳掻き部４ａの凸状の形状は、半球状の他に鉤状や他の形状でもよい。図（ｃ）は、耳掻き４の先端部の側面に凸状に形成した複数の耳掻き部４ａ、４ａ・・・４ａと、複数の吸引口４ｂ、４ｂ・・・４ｂを交互に形成して構成したものである。この構成で吸引力の強い手圧式のポンプや電動式のポンプ等で吸引することで、各吸引口４ｂ付近に浮遊する耳垢を吸引できる。ここで耳掻き４を適当な太さにして、耳掻き４の全体を弾性があるように形成し、その全体が耳の穴にすっぽり嵌るように構成することもできる。その構成であれば、耳の穴の中に挿入して耳掻き４を前後に摺動したり回転させたりすることで、皮膚面に付着してる耳垢を一度に掻き落とすことができる。図（ｄ）（ｅ）は、耳掻き４の他の実施例の構成を示したものである。耳掻き４の先端部の側面の周りに環状で凸状に形成した複数の耳掻き部４ａ、４ａ・・・４ａと、複数の吸引口４ｂ、４ｂ・・・４ｂを交互に形成して構成したもので、この構成でも実施可能である。尚、前記の凸状に形成した耳掻き部４ａは、環状の他に適当長の弧状に形成して実施してもよいし、複数形成しても１つのみ形成して実施してもよい。また各構成の耳掻き部４ａを幾つか用意しておき、耳垢の状況に応じて耳掻き部４ａを選択して接続し実施してもよい。図（ｆ）は、耳掻き４の後端に連通する図３（ｃ）に示すポンプ１を接続して構成したものである。この構成で耳掻き４を耳の穴に挿入し、皮膚面に付着する耳垢を適当に掻き落しながら、ポンプ１を断続的に押圧することで、その吸入する空気と一緒に浮遊する耳垢をポンプ１内に吸引することができる。尚、ポンプ１は例えば排気弁１ｂの部分を開閉して、溜まった耳垢を捨てるようにしてもよいし、ある程度耳垢が溜まった時点でポンプ１と耳掻き４ごと使い捨てにしてもよい。この場合ポンプ１を透明体に形成することで、中に溜まった耳垢の量を目視することができる。またポンプ１を図５に示すように、ポンプ１に係止する収容部１ｄを設けて、耳垢を収容部１ｄ内に溜めて回収するようにしてもよい。
【００１９】
尚、本発明の耳の掃除具として、図７に示す耳掻き４の単体の構成でも本発明の耳の掃除具とすることができ、この図７に示した耳掻き４を各実施例で示すポンプ１や市販の電動式の吸入するポンプや装置に接続して実施してもよいし、市販の電動式の吸引装置であれば、図７に示す耳掻き４を接続して十分な吸引力によって実施することができる。またポンプ１と耳掻き４との接続も搬送管２ａを介して接続してもよいし、直接耳掻き４を空気が連通するように接続して構成してもよい。またポンプ１に空気が吸排出する収容部１ｄを設けて、その収容部１ｄ内に吸引して溜まった耳垢を回収して捨てるように構成してもよい。ポンプ１と収容部１ｄは固定して設けてもよいし着脱可能に設けてもよい。
【００２０】
本発明は、いずれの各構成も堆積する耳垢を各収容部の半分位まで溜めることができ、従来の耳垢の掃除具に比べて、かなりの量の耳垢を溜めても吸引力が落ちることなく溜め続けることができる。各実施例で構成する搬送管２ａと搬送管２ｂは軟質の塩化ビニル等で形成でき、その長さも使用状態に応じて適当な長さ（数１０ｃｍ〜１ｍ位）で実施してよく、その長さによって吸引力が落ちたり吸引力が変わることが全く無い。また耳掻き４もポリプロピレン等で形成でき、図７の構成では適当に弾性を有する材質、例えば軟質の塩化ビニル等で構成し実施することもできる。
【図面の簡単な説明】
【００２１】
【図１】（ａ）本発明の１実施例の側面図（ｂ）本発明の１実施例の縦断面図
【図２】（ａ）本発明の１実施例の縦断面図（ｂ）本発明の１実施例の一部の側面図
【図３】（ａ）（ｂ）（ｃ）本発明の１実施例の一部の縦断面図
【図４】（ａ）（ｂ）（ｃ）本発明の１実施例の一部の縦断面図
【図５】（ａ）本発明の１実施例の側面図（ｂ）本発明の１実施例の縦断面図（ｃ）本発明の１実施例のＸ−Ｙ方向から見た上面図
【図６】（ａ）本発明の１実施例の一部の側面図（ｂ）本発明の１実施例の一部の縦断面図（ｃ）本発明の１実施例を実施した斜視図と一部の縦断面図
【図７】（ａ）本発明の１実施例の側面図（ｂ）本発明の１実施例の縦断面図（ｃ）本発明の１実施例の側面図（ｄ）本発明の１実施例の斜視図（ｅ）本発明の１実施例の縦断面図（ｆ）本発明の１実施例を実施した縦断面図
【図８】本発明の自然法則（ベルヌーイの原理）を応用する原理図
【図９】（ａ）（ｂ）（ｃ）従来の発明の一部の縦断面図
【符号の説明】
【００２２】
１  ：  ポンプ
１ａ  ：  吸気弁
１ｂ  ：  排気弁
１ｃ  ：  （吸気側の）開口部
１ｄ  ：  収容部
１ｅ  ：  係止部
１ｆ  ：  （排気側の）開口部
２  ：  搬送管
２ａ  ：  （ポンプ内から吸気する）搬送管
２ｂ  ：  （収容容器内に排気する）搬送管
３  ：  収容容器
３ａ  ：  蓋部
３ｂ  ：  収容部
３ｃ  ：  係止部
４  ：  耳掻き
４ａ  ：  耳掻き部
４ｂ  ：  吸引口
【図１】
2009022335.tif 000003
【図２】
2009022335.tif 000004
【図３】
2009022335.tif 000005
【図４】
2009022335.tif 000006
【図５】
2009022335.tif 000007
【図６】
2009022335.tif 000008
【図７】
2009022335.tif 000009
【図８】
2009022335.tif 000010
【図９】
2009022335.tif 000011